(57)【要約】      （修正有）【課題】脚支柱および複数の脚羽根を備える構成であっても、色ムラなく簡単に作製することが可能な家具の脚を提供する。【解決手段】椅子の脚は、略Ｌ字状に成形した複数のパイプ材４１ａ，４１ａの一辺としての垂直辺４１ａ１，４１ａ１同士を、所定の間隔を開けて連結するよう構成される。【選択図】図４
2016198178.tif 000002
【特許請求の範囲】
【請求項１】
略Ｌ字状に成形した複数のパイプ材の一辺同士を、所定の間隔を開けて連結していることを特徴とする家具の脚。
【請求項２】
前記複数のパイプ材は、少なくとも、略Ｌ字状に屈曲させた屈曲部近傍に、前記一辺同士を所定の間隔に保つスペーサを有する請求項１記載の家具の脚。
【請求項３】
前記複数のパイプ材が前記スペーサによって連結された脚要素を複数有し、
各脚要素の前記スペーサ同士を連結することで、隣接するパイプ材同士を所定の位置関係に保つ請求項２記載の家具の脚。
【請求項４】
前記複数のパイプ材が前記スペーサによって連結された脚要素を１組有し、
当該脚要素に、当該スペーサを共有して他のパイプ材を連結することで、隣接するパイプ材同士を所定の位置関係に保つ請求項２記載の家具の脚。
【請求項５】
前記複数のパイプ材が前記スペーサによって連結された脚要素を複数有し、
各脚要素を互いに組み合わせたときに隣接するパイプ材の前記一辺同士を接触させつつ、各脚要素の前記スペーサ同士を突き当てることで、各パイプ材の相対的な移動を規制する請求項２記載の家具の脚。
【請求項６】
前記複数のパイプ材が所定の間隔を開けて連結された脚要素を複数有し、少なくともこれら脚要素を互いに着脱可能に組み合わせて構成される請求項１〜５の何れかに記載の家具の脚。
【請求項７】
前記パイプ材を４本以上用いており、組合せる前の状態が平らな前記脚要素の組み合わせ又は前記脚要素と前記パイプ材の組み合わせで構成される請求項３〜６の何れかに記載の家具の脚。
【請求項８】
請求項１〜７の何れかに記載の家具の脚を利用したことを特徴とする家具。
【発明の詳細な説明】
【技術分野】
【０００１】
本発明は、脚支柱および複数の脚羽根を備える構成であっても、色ムラがなく作製が簡単な家具の脚および家具に関するものである。
【背景技術】
【０００２】
従来より、椅子の脚として、座の四隅からそれぞれ下方に延びる略Ｉ字状の前脚及び後脚で構成されるものや、前脚の下端と後脚の下端とが連結されて側面視略上向きコ字状をなすものなど、種々の構成のものが知られており、例えば特許文献１には、座の下面から延びるガススプリングタイプの脚支柱より放射状に広がる複数の脚羽根を備え、これらの脚羽根にそれぞれ取り付けられたキャスターを介して床上に設置される脚が開示されている。
【先行技術文献】
【特許文献】
【０００３】
【特許文献１】特開２０１２−１３５４５４号公報
【発明の概要】
【発明が解決しようとする課題】
【０００４】
ところで、特許文献１に開示の脚は、脚支柱および脚羽根がそれぞれ別部材で構成され、各脚羽根が全て一体成形された複雑な形状のもので、このような脚を作製するのは手間でコストもかかることから、脚支柱および脚羽根を有する構成であっても、簡単に作製可能な脚が望まれる。
【０００５】
これを実現するため、略Ｌ字状に成形した複数の金属製のパイプ部材の一辺同士を寄せ集め、これらをまとめて溶接することで、当該一辺を脚支柱とし、当該一辺から屈曲する他の一辺をそれぞれ脚羽根として、脚支柱および脚羽根を備える脚を作製することが考えられる。しかしながら、このようにして作製される脚は、金属が表面に露出している状態でしかパイプ部材の一辺同士を溶接できず、溶接後にパイプ部材を塗装する必要があるが、塗装剤は粘度が高く、脚支柱となる前記一辺同士の隙間に入り込みにくいので、当該一辺同士の隙間が着色されずに、脚に色ムラができやすいという問題がある。
【０００６】
なお、上記のような脚支柱および脚羽根を備える脚は、椅子だけでなく、テーブルなどの他の家具にも適用することが考えられる。
【０００７】
本発明は、上記のような課題を解消することを目的としており、具体的には、脚支柱および複数の脚羽根を備える構成であっても、色ムラなく簡単に作製することか可能な家具の脚および家具を提供することを目的とする。
【課題を解決するための手段】
【０００８】
本発明は、かかる目的を達成するために、次のような手段を講じたものである。
【０００９】
すなわち、本発明の家具の脚は、略Ｌ字状に成形した複数のパイプ材の一辺同士を、所定の間隔を開けて連結していることを特徴とする。
【００１０】
このような構成であると、複数のパイプ材の一辺同士を溶接などで連結した後、所定の間隔が開けられた当該一辺同士の隙間に粘度の高い塗装剤を容易に入り込ませることができ、各一辺に適切に塗装して、パイプ材の色ムラを防止できる。そのため、略Ｌ字状に成形したパイプ材の一辺が集まって構成される脚支柱、及び、パイプ材の他の辺で構成される複数の脚羽根を備える構成であっても、色ムラなく簡単に作製することができる。
【００１１】
特に、荷重などがかかっても、複数のパイプ材を所定の間隔で安定して配置するためには、前記複数のパイプ材が、少なくとも、略Ｌ字状に屈曲させた屈曲部近傍に、前記一辺同士を所定の間隔に保つスペーサを有する構成とすることが好適である。
【００１２】
前記複数のパイプ材が前記スペーサによって連結された脚要素を複数有する場合に、各脚要素の配置位置をシンメトリックにして、バランスのとれた脚にするためには、各脚要素の前記スペーサ同士を連結することで、隣接する脚要素のパイプ材同士を所定の位置関係に保つように構成することが好ましい。
【００１３】
或いは、前記複数のパイプ材が前記スペーサによって連結された脚要素を１組有する場合には、当該脚要素に、当該スペーサを共有して他のパイプ材を連結することで、隣接するパイプ材同士を所定の位置関係に保つように構成することが好ましい。
【００１４】
或いは、各脚要素を互いに組み合わせたときに隣接するパイプ材の前記一辺同士を接触させつつ、各脚要素の前記スペーサ同士を突き当てることで、各パイプ材の相対的な移動を規制するように構成することが好ましい。
【００１５】
とりわけ、搬送が容易な脚とするためには、前記複数のパイプ材が所定の間隔を開けて連結された脚要素を複数有し、少なくともこれら脚要素を互いに着脱可能に組み合わせて構成されることが好適である。
【００１６】
さらに、前記パイプ材を４本以上用いている場合に、搬送時のスペースをより小さくするためには、組合せる前の状態が平らな脚要素の組み合わせ又は脚要素とパイプ材の組み合わせで構成されることが好適である。
【００１７】
また、本発明の家具は、上記脚を利用したことを特徴とする。このような構成であると、脚の見た目が良好であるとともに、作製が簡単な脚の分だけ手間とコストを低減することができる。
【発明の効果】
【００１８】
本発明は、以上説明した構成であるから、所定の間隔が開けられたパイプ材の一辺同士の隙間から当該各辺に適切に塗装でき、略Ｌ字状に屈曲するパイプ材の各辺で構成された脚支柱および脚羽根を備える構成であっても、色ムラがなく簡単に作製可能な家具の脚および家具を提供することができる。
【図面の簡単な説明】
【００１９】
【図１】本発明の一実施形態に係る椅子を示す斜視図。
【図２】同椅子の分解斜視図。
【図３】同椅子を後ろ斜め下方から見た斜視図。
【図４】同椅子が有する脚要素を示す図。
【図５】図４に示す脚要素の組み立てを説明するための図。
【図６】本発明の変形例を示す模式図。
【図７】本発明の他の変形例を示す模式図。
【発明を実施するための形態】
【００２０】
以下、本発明の一実施形態を、図面を参照して説明する。
【００２１】
図１に示すように、本実施形態の家具としての椅子１０は、着座荷重を受ける座１および背もたれ２、座１を支持する支持フレーム３、ならびに支持フレーム３に取り付けられた脚４を備える。
【００２２】
図２に示す座１は、直線状をなす前縁１ａおよび側縁１ｄと、後方に湾曲する後縁１ｂとを有し、前端１ａから後端部１ｂにかけて幅寸法Ｗが徐々に小さく構成される。また、前端部１ａ´が下方に屈曲して前垂れ部１１を形成している。図３に示すように、このような座１の下面１ｃの前端部１ａ´には、支持フレーム３と連結するための左右一対の座側連結部１２Ａ，１２Ａが互いに離間して設けられ、座１の下面１ｃの前後方向略中央部には、支持フレーム３と接触する左右一対のフレーム接触部１３，１３が互いに離間して設けられる。
【００２３】
図３の左下の部分拡大図にて示すように、座側連結部１２Ａは、その長手方向が座１の前後方向と平行になるよう設けられた薄板状のフレーム受け１２ａと、フレーム受け１２ａの近傍位置に設けられ、下方に向けて開口するねじ穴１２ｂ１を有するフレーム被連結部１２ｂとから構成される。このフレーム被連結部１２ｂには、支持フレーム３の後述する第１フレーム側連結部１２Ｂがねじ止めされる。フレーム被連結部１２ｂは、略円筒状の側面の一部がその高さ方向に沿って外方に広がった構成であり、下面に前記ねじ穴１２ｂ１が形成されている。フレーム受け１２ａの一部は、後述する前フレーム部３３の外形に合わせて下向きに略半円状に切り欠かれ、この切欠き１２ａ１よりも前方にフレーム被連結部１２ｂのねじ穴１２ｂ１が位置し、当該切欠き１２ａ１に前フレーム部３３を嵌め合わせて位置決めした状態で第１フレーム側連結部１２Ｂをフレーム被連結部１２ｂにねじ止めできるように構成されている。なお、同図に示す３つの部分拡大図では、いずれも、座１又は背もたれ２を構成する部材を実線で示し、支持フレーム３を構成する部材を二点鎖線で示す。
【００２４】
図３に示すフレーム接触部１３は、前記座側連結部１２Ａよりも座１の幅方向中央に寄った位置で、長手方向が座１の前後方向と平行になるように設けられたブロック状のものである。フレーム接触部１３は、中央フレーム部３５の外形に合わせて下向きに略半円状に切り欠かれ、背座が着座荷重を受けて撓んだ際にこの切欠き１３ａに中央フレーム部３５を嵌合可能であり、着座時には荷重をフレーム接触部１３から中央フレーム部３５を介し後述する前後向きフレーム部３４に伝えて、支持フレーム３が適切に着座荷重を支持する。
【００２５】
図３に示す背もたれ２は、正面視略矩形状で、側縁２ｂ，２ｂ間が平断面において後方に向けて滑らかに湾曲し、かつ、高さ方向中央部から上端部に亘る部位が後方に緩やかに湾曲した形状を有する。このような背もたれ２の後面２ａの高さ方向略中央部には、支持フレーム３と連結するための左右一対の背もたれ側連結部１４ａ，１４ａが互いに離間して設けられる。
【００２６】
同図の左上の部分拡大図にて示すように、背もたれ側連結部１４ａは、後方に向けて延びる略筒状のものである。背もたれ側連結部１４ａは、その後端面１４ａ１が後述する左右向きフレーム部３７の外形に合わせて湾曲した形状であるとともに、ねじ挿入孔１４ｂ１が下方に向けて開口する。背もたれ側連結部１４ａは、その後端面１４ａ１に左右向きフレーム部３７を嵌め合わせて位置決めし、後述する第２フレーム側連結部１４Ｂを内部に挿入して、ねじ挿入孔１４ｂ１を介して第２フレーム側連結部１４Ｂとねじ止めされる。
【００２７】
このような背もたれ２及び座１は、本実施形態では背座一体の樹脂製のシェルＡ（図１参照）によって構成されており、着座荷重によってある程度弾性変形可能なものである。なお、前記フレーム受け１２ａ、前記フレーム被連結部１２ｂ、前記フレーム接触部１３および前記背もたれ側連結部１４ａは、このようなシェルＡの主体となるシェル本体Ａ´（図１参照）に樹脂一体成形されている。また、前記フレーム被連結部１２ｂは、ねじ穴１２ｂ１が金属製のナットによってインサート成形されて構成されてもよい。
【００２８】
図２及び図３に示すように、シェルＡ（図１参照）を支持する支持フレーム３は、座１の前端部１ａ´を支持可能な位置で左右方向に延びる前フレーム部３３と、座１の各側縁１ｄ，１ｄの近傍で前後方向に延びる左右一対の前後向きフレーム部３４，３４と、左右一対の前後向きフレーム部３４，３４をその前後方向略中央部で接続する補強パイプとしての中央フレーム部３５と、前後向きフレーム部３４，３４の後端３４ｂ，３４ｂから上方にそれぞれ延びる左右一対の上下向きフレーム部３６，３６と、左右一対の上下向きフレーム部３６，３６の上端部３６ａ，３６ａ同士を接続する左右向きフレーム部３７と、前後向きフレーム部３４および上下向きフレーム部３６に接続された左右一対の肘置き部３８，３８と、後述する脚４を接続する脚接続部３９とを有し、全体が金属製のパイプ材によって一体に成形されている。すなわちこの実施形態では、前フレーム部３３、前後向きフレーム部３４、３４および中央フレーム部３５が座フレームを構成し、上下向きフレーム部３６、３６および左右向きフレーム部３７が背フレームを構成しており、前後向きフレーム部３４，３４、上下向きフレーム部３６，３６および左右向きフレーム部３７が単一のパイプ材の塑性変形加工によって一連一体に構成され、これに同じ太さの肘置き部３８，３８が溶接により一体化されている。勿論、具体的な構造はこれに限定されない。
【００２９】
図３に示す中央フレーム部３５は、その両端部３５ａ，３５ａから中央部３５ｂにかけて下方に緩やかに湾曲するもので、着座荷重を受けて背座が撓んだ際に前述のフレーム接触部１３の切欠き１３ａと嵌め合い可能とされるものである。
【００３０】
図２に戻って、前フレーム部３３は、中央フレーム部３５と略平行に延び、左右一対の第１フレーム側連結部１２Ｂ，１２Ｂが前方に向けて溶接等によって取り付けられるとともに、両端部が前方に向けて屈曲したものである。第１フレーム側連結部１２Ｂは、略矩形の舌片状部材であり、略中央部に図３に示すフレーム被連結部１２ｂとのねじ止めに利用されるねじ挿通孔１２Ｂ１が形成される。このような第１フレーム側連結部１２Ｂおよび前記座側連結部１２Ａによって第１連結部１２が構成され、前フレーム部３３が座１をその前部（本実施形態では前端部１ａ´）で支持する。
【００３１】
図２に示す前後向きフレーム部３４，３４は、座１の側縁１ｄとほぼ等しい高さ位置で前後方向に向けて延び、前述のように前端１ａから後端部１ｂにかけて幅寸法Ｗが小さくなる座１に対して後方に向かって徐々に幅方向に離間した位置で、座１から幅方向に少しはみ出して配置される。そのため、座１の側縁１ｄとの間には、後方に向けて幅の広がる隙間が形成され、該隙間から指を入れて前後向きフレーム部３４，３４に手をかけ、前後向きフレーム部３４，３４を把持可能に構成されている。また、前後向きフレーム部３４は、前端部３４ａが内側に屈曲して、前フレーム部３３の両端部３３ａに連結されている。このような前後向きフレーム部３４，３４は座１の側縁１ｄ，１ｄに沿って配置され、前後向きフレーム部３４，３４からそれぞれ延びる上下向きフレーム部３６，３６は背もたれ２の側縁２ｂ，２ｂに沿って配置される。
【００３２】
図２に示す左右向きフレーム部３７には、左右一対の第２フレーム側連結部１４Ｂ，１４Ｂが前方に向けて溶接等によって取り付けられている。この第２フレーム側連結部１４Ｂは、略矩形の舌片状部材であり、略中央部に前記背もたれ側連結部１４ａ（図３参照）とのねじ止めに利用されるねじ孔１４Ｂ１が形成されている。第２フレーム側連結部１４Ｂは、筒状の背もたれ側連結部１４ａの内部に後方向から挿入された状態で、ねじ挿入孔１４ｂ１を介して下方から図示しないねじによってねじ止めされて背もたれ側連結部１４ａと連結される。このような第２フレーム側連結部１４Ｂおよび前記背もたれ側連結部１４ａによって第２連結部１４が構成され、左右向きフレーム部３７が、背もたれ２をその高さ方向中間部（この実施形態では略中央部）で支持する。なお、左右向きフレーム３７は、図３に示す背もたれ２の後面２ａから後方に離間して背もたれ２から後方に少しはみ出した位置に背もたれ２に沿って湾曲した状態で配置されて、座１との間に前後方向に略一定の隙間を形成し、この隙間より指を入れて左右向きフレーム３７に手をかけ、左右向きフレーム３７を把持可能に構成される。
【００３３】
肘置き部３８は、前後向きフレーム３４の前端部から上方に延びる上下部分３８ａと、上下部分３８ａから上下向きフレーム部３６に向けて略水平に延び、長手方向中央部が前後向きフレーム３４から離れるように外側に湾曲する肘置き本体３８ｂ，３８ｂとを有する。
【００３４】
図２に示す脚接続部３９は、前フレーム部３３と中央フレーム部３５とに連結された板状部材であり、前フレーム部３３から前端部分３９ｂが下方に傾斜して延びるとともに、前端部分３９ｂから略矩形状の脚接続部本体３９ａが水平に延びて、前フレーム部３３よりも低い位置にある中央フレーム部３５の中央部に連結される。脚接続部本体３９ａには、後述する脚４とのねじ止めに利用されるねじ挿通孔３９ａ１が四隅に形成されている。
【００３５】
図４に示すように、脚４は、複数（本実施形態では２つ）の脚要素４１，４２で構成される。一方の脚要素４１は、略直交状態となるように屈曲ないし湾曲させた複数（本実施形態では２本）のパイプ材４１ａと、これら複数のパイプ材４１ａ，４１ａの先端に溶接部４７を介して取り付けられたフレーム接続部４１ｂと、２つのパイプ材４１ａ，４１ａ同士を溶接部４６を介して連結させる第１スペーサ４１ｃとを有する。他方の脚要素４２は、フレーム接続部４１ｂの代わりに脚要素接続部４２ｂが設けられることと、第１スペーサ４１ｃの代わりに第２スペーサ４２ｃが設けられること以外は、一方の脚要素４１と同様の構成である。脚４を構成するパイプ材４１ａは、例えば、図２に示す支持フレーム３を構成するパイプ材と同じ材質で、支持フレーム３を構成するパイプ材よりも太いものが用いられるが、これに限定されない。
【００３６】
図４（ａ）に示すパイプ材４１ａは、略Ｌ字状に成形され、脚４としての使用時に略垂直（上下方向）に延びて脚支柱となる垂直辺４１ａ１と、同じく脚４としての使用時に略水平に延びて（具体的には先端部４１ａ３に向けて下方に少し傾斜するように延びて）脚羽根となる水平辺４１ａ２とを有する。各垂直辺４１ａ１，４１ａ１の先端には、溶接部４７を介して前記フレーム接続部４１ｂが当該垂直辺４１ａ１と直交して取り付けられている。水平辺４１ａ２の先端部４１ａ３は、垂直辺４１ａ１と平行になるよう略直角に屈曲ないし湾曲し、使用時に床などに接触する。フレーム接続部４１ｂは、同図（ｂ）における一方の脚要素４１の平面図にて示すように、矩形（具体的には正方形）の板状部材であり、前述の脚接続部本体３９ａ（図２参照）とねじ止めするためのねじ孔４１ｂ１が四隅に形成されるとともに、他方の脚要素４２とねじ留めするためのねじ挿通孔４１ｂ２が中央部に複数形成されている。同図（ａ）に示す第１スペーサ４１ｃは、各パイプ材４１ａの水平辺４１ａ２を外に向けた状態で、垂直辺４１ａ１，４１ａ１同士を所定の間隔Ｓ１を開けて互いに連結させる側面視略コ字状の板状部材で、水平辺４１ａ２に向けて開口する切欠き４１ｃ１が形成され、垂直辺４１ａ１のうち水平辺４１ａ２に繋がる屈曲部４１´の近傍に取り付けられている。このような脚要素４１では、各水平辺４１ａ２，４１ａ２が略平行に延びて、組み立て前状態において平らに構成される。また、第１スペーサ４１ｃの幅は垂直辺４１ａ１の直径よりも小さく構成されており、垂直辺４１ａ１，４１ａ１同士の間隔Ｓ１は、垂直辺４１ａ１の直径よりも小さく設定される。
【００３７】
図４（ａ）に示す他方の脚要素４２が備える第２スペーサ４２ｃは、脚要素接続部４２ｂに向けて開口する切欠き４２ｃ１が形成されている点で第１スペーサ４１ｃと異なる。また、同図（ａ）において第１スペーサ４１ｃの上端から水平方向に延ばした仮想線Ｌにて示されるように、パイプ材４１ａに対して、第２スペーサ４２ｃは第１スペーサ４１ｃよりも屈曲部４１´に近い位置に取り付けられている。なお、各スペーサ４１ｃ，４２ｃの位置関係はこれに限定されず、例えば第１スペーサ４１ｃおよび第２スペーサ４２ｃが屈曲部４１´から等しい距離に取り付けられる構成であってもよい。脚要素接続部４２ｂ，４２ｂは、同図（ｃ）における他方の脚要素４２の平面図にて示すように、各パイプ材４１ａ，４１ａの垂直辺４１ａ１，４１ａ１に溶接によってそれぞれ取り付けられた一対の板状部材で、フレーム接続部４１ｂ（同図（ｂ）参照）にねじ止めするためのねじ孔４２ｂ１を複数有し、各脚要素接続部４２ｂ，４２ｂが互いに離間して配置される。
【００３８】
上記のような脚要素４１，４２は、各パイプ材４１ａ，４１ａが第１スペーサ４１ｃ又は第２スペーサ４２ｃを介して溶接などで連結された後、塗装（本実施形態ではメッキ塗装）が施されたものである。
【００３９】
これら脚要素４１，４２を脚４として組み立てる際には、図５（ａ）に示すように、一方の脚要素４１の水平辺４１ａ２側から、他方の脚要素４２を各脚要素４１，４２の水平辺４１ａ２，４１ａ２が互いに交差する状態で差し込み、一方の脚要素４１の垂直辺４１ａ１，４１ａ１同士の間に他方の脚要素４２の第２スペーサ４２ｃを入り込ませることで、同図（ｂ）に示すように各脚要素４１，４２のスペーサ４１ｃ，４２ｃを互いに近づけ、切欠き４１ｃ１，４２ｃ１を介して互いに相差しの関係で係合させて連結するとともに、脚要素接続部４２ｂをフレーム接続部４１ｂに突き当てる。このようなスペーサ４１ｃ，４２ｃ同士を連結することで、隣接する脚要素４１，４２の垂直辺４１ａ１，４１ａ１同士の間に所定の間隔Ｓ２（図４（ｂ）参照）を開けて、隣接するパイプ材４１ａ，４１ａ同士を所定の位置関係に保ちつつ、各垂直辺４１ａ１を脚支柱としてある程度まとまりのある状態で束ねることができる。その後、フレーム接続部４１ｂと脚要素接続部４２ｂとをねじ止めし、脚支柱（垂直辺４１ａ１）と、脚支柱から放射状に広がる複数の脚羽根（水平辺４１ａ２）を備えた十字の脚４とすることができる。さらに、フレーム接続部４１ｂと図２，３に示す脚接続部３９とをねじ止めして、支持フレーム３に対して脚４を連結する。このように、脚４は、複数の脚要素４１，４２を互いに着脱可能に組み合わされて構成され、支持フレーム３に対しても着脱可能に構成される。図４（ｂ）に示す所定の間隔Ｓ２は垂直辺４１ａ１の直径よりも小さく設定されており、隣接する垂直辺４１ａ１，４１ａ１を互いに非接触状態としつつ、ある程度のまとまりをもたせて全ての垂直辺４１ａ１を連結することで、傾き荷重に強い脚４とすることができる。なお、このように組立後に隣接する垂直辺４１ａ１，４１ａ１同士の間に所定の間隔Ｓ２が開けられる構成に限定されず、組立後に隣接する垂直辺４１ａ１，４１ａ１が互いに接触する構成であってもよい。
【００４０】
図２に戻って、座１および背もたれ２を構成するシェルＡ（図１参照）は、図３に示す第１連結部１２および第２連結部１４を介し、支持フレーム３に対して容易に着脱可能であり、脚４は、脚接続部３９およびフレーム接続部４１ｂを介し、支持フレーム３に対して容易に着脱可能である。そのため、支持フレーム３とシェルＡと脚４とを分解して、省スペースでの保管や搬送が可能である。このような椅子１０は、特に支持フレーム３および脚４をパイプ部材で構成していることからパイプチェアとも言い得るものであり、オフィスのミーティングエリアやオープンスペースなどで、幅広い用途に使用できる。
【００４１】
以上のように、本実施形態の家具としての椅子１０の脚４は、略Ｌ字状に成形した複数のパイプ材４１ａ，４１ａの一辺としての垂直辺４１ａ１，４１ａ１同士を、所定の間隔Ｓ１を開けて連結するよう構成したものである。
【００４２】
このような構成であると、複数のパイプ材４１ａ，４１ａの垂直辺４１ａ１，４１ａ１同士を溶接などで連結した後、所定の間隔Ｓ１が開けられた当該垂直辺４１ａ１，４１ａ１同士の隙間に粘度の高い塗装剤を容易に入り込ませることができ、各垂直辺４１ａ１，４１ａ１を適切に塗装して、パイプ材４１ａの色ムラを防止できる。そのため、略Ｌ字状に成形したパイプ材４１ａの垂直辺４１ａ１が集まって構成される脚支柱、及び、各水平辺４１ａ２で構成される複数の脚羽根を備える構成であっても、色ムラなく簡単に作製することができる。
【００４３】
また、このように垂直辺４１ａ１から略直角に延びる水平辺４１ａ２により使用時に脚４の下端部が外側に広がる構成となることに加えて、水平辺４１ａ２の先端部４１ａ３が使用時に床などに接触するよう略直角に屈曲する構成であると、着座荷重により垂直辺４１ａ１が下方に沈んで水平辺４１ａ２の屈曲部４１´側が下方に撓むので、シェルＡを硬い樹脂で作製するなどして安価な構成にしたとしても、脚４にクッション性を付与して、座り心地を向上させることができる。
【００４４】
特に、複数のパイプ材４１ａが、略Ｌ字状に屈曲させた屈曲部４１´近傍に、垂直辺４１ａ１，４１ａ１同士を所定の間隔Ｓ１に保つスペーサとして第１スペーサ４１ｃおよび第２スペーサ４２ｃを有する構成としたので、荷重などによってパイプ材４１ａが内側に入り込んだり、外側に広がることを抑制でき、複数のパイプ材４１ａを所定の間隔Ｓ１で安定して配置することができる。
【００４５】
また、複数のパイプ材４１ａがスペーサ４１ｃ（４２ｃ）によって連結された脚要素４１，４２を複数有し、各脚要素４１，４２のスペーサ４１ｃ，４２ｃ同士を連結することで、隣接する脚要素のパイプ材４１ａ，４１ａ同士を所定の位置関係に保つように構成したことから、各パイプ材４１ａの配置をシンメトリックにして、バランスのとれた形状の脚４にすることができる。
【００４６】
とりわけ、複数のパイプ材４１ａ，４１ａが所定の間隔Ｓ１を開けて連結された脚要素４１，４２を複数有し、これら脚要素４１，４２を互いに着脱可能に組み合わせて構成されることから、組立後に分解して再搬送する場合も含め、脚４の搬送および保管を、小さいスペースで容易に行うことができる。
【００４７】
さらに、パイプ材４１ａを４本用いており、組合せる前の状態が組合せ後よりも平らな（嵩が低い）脚要素４１，４２の組み合わせで構成されることから、脚４の搬送および保管時のスペースをより小さくすることができる。
【００４８】
また、本発明の椅子１０は上記脚４を利用したので、脚４の色ムラがなく、見た目が良好であるとともに、作製が容易な脚４の分だけ手間とコストを低減することができる。
【００４９】
以上、本発明の一実施形態について説明したが、各部の具体的な構成は、上述した実施形態のみに限定されるものではなく、本発明の趣旨を逸脱しない範囲で種々変形が可能である。
【００５０】
例えば、本実施形態では、第１および第２スペーサ４１ｃ，４２ｃが略コ字状であり、互いに係合させるための切欠き４１ｃ１，４２ｃ１が形成されているが、このようなスペーサ４１ｃ，４２ｃの代わりに、図６に示す切欠きのない矩形板状のスペーサ４１ｃ´，４２ｃ´によってパイプ材４１ａ，４１ａの垂直辺４１ａ１，４１ａ１同士を連結して脚要素４１´，４２´を構成してもよい。このような脚要素４１´，４２´は、図５（ａ）に示す脚要素４１，４２と同様に、一方の脚要素４１´の水平辺４１ａ２側から他方の脚要素４２´を差し込むことで組み合わせられるが、このとき、図６（ａ）の平断面図に示すように、隣接する一方の脚要素４１´の垂直辺４１ａ１と他方の脚要素４２´の垂直辺４１ａ１とを互いに接触させつつ、一方の脚要素４１´の垂直辺４１ａ１，４１ａ１同士の間に他方の脚要素４２´のスペーサ４２ｃ´を入り込ませていく。そして、同図（ｂ）のようにスペーサ４１ｃ´，４２ｃ´同士を突き当てることで、各パイプ材４１ａを位置決めし、各パイプ材４１ａの相対的な移動が規制されるようにする。
【００５１】
このように、複数のパイプ材４１ａがスペーサ４１ｃ´，４２ｃ´によって連結された脚要素４１´，４２´を複数有し、各脚要素４１´，４２´を互いに組み合わせたときに隣接するパイプ材４１ａ，４１ａの垂直辺４１ａ１，４１ａ１同士を接触させつつ、各脚要素４１´，４２´のスペーサ４１ｃ´，４２ｃ´同士を突き当て、各パイプ材４１ａの相対的な移動を規制する構成とすることで、各パイプ材４１ａの配置をシンメトリックにしてバランスのとれた形状の脚４´にできるとともに、荷重などが掛かることによるスペーサ４１ｃ´，４２ｃ´の損傷やパイプ材４１ａが内側に入り込むことを有効に防止できる。
【００５２】
また本実施形態において、第１および第２スペーサ４１ｃ，４２ｃは、垂直辺４１ａ１のうち屈曲部４１´の近傍に設けられるが、屈曲部４１´から離れた位置に設けられてもよい。
【００５３】
また、本実施形態の脚４において、各水平辺４１ａ２の先端部４１ａ３にキャスターが取り付けられた構成であってもよい。また、本実施形態の椅子１０は、肘置き部３８を備えない構成であってもよい。
【００５４】
さらに、本実施形態において、脚要素４１，４２は、ねじによって互いに連結されたり、支持フレーム３と連結され、これによって搬送先で簡単に組み立てられるという効果を有するが、この構成に限定されず、溶接などで連結される構成であってもよい。
【００５５】
また、本実施形態では、組立時に各脚要素４１，４２のスペーサ４１ｃ，４２ｃ同士を連結させているが、これに限定されず、例えば図７（ａ）の模式図に示すように、複数本（本変形例では２本）のパイプ材４１ａ，４１ａがリング状のスペーサ４３ｃによって連結されてなる脚要素４３を１組有し、このような脚要素４３のスペーサ４３ｃ内に、複数（本変形例では２本）のパイプ材４１ａ，４１ａからなる他の脚要素４４の垂直辺４１ａ１、および、他のパイプ材４１ａの垂直辺４１ａ１が差し込まれて、同図（ｂ）の脚４Ａの平断面図に示すように、リング状のスペーサ４３ｃ内で全ての垂直辺４１ａ１が互いに連結され、隣接するパイプ材４１ａ，４１ａ同士を接触させて所定の位置関係に保ちつつ、各脚要素４３，４４と他のパイプ材４１ａとが組み合わせられる構成であってもよい。この場合、同図（ｂ）に示すように、各パイプ材４１ａの水平辺４１ａ２，４１ａ２同士が、略等しい角度で配置されるように構成し、角度がずれないように適宜の拘束手段（図示せず）が設けられる。
【００５６】
このように、複数のパイプ材４１ａがスペーサ４３ｃによって連結された脚要素４３を１組有し、当該脚要素４３に、当該スペーサ４３ｃを共有して他のパイプ材４１ａを連結することで、隣接するパイプ材４１ａ，４１ａ同士を所定の位置関係に保つように構成することでも、各パイプ部材４１ａをシンメトリックに配置して、バランスのとれた形状の脚４Ａにすることができる。
【００５７】
また、組合せる前の状態が平らな脚要素４３，４４とパイプ材４１ａの組み合わせで構成されるので、脚４Ａの搬送および保管時のスペースをより小さくすることができる。
【００５８】
また、上記実施形態では、脚４（４Ａ）にパイプ材４１ａが４本または５本使用されるが、これに限定されず、２本や３本、６本以上であってもよい。
【００５９】
さらに、上記実施形態において、脚４（４Ａ）は、椅子１０に適用されるが、テーブルなどの他の家具に適用されてもよい。
【００６０】
その他の構成も、本発明の趣旨を逸脱しない範囲で種々変形が可能である。
【符号の説明】
【００６１】
１０・・・椅子（家具）
４，４´，４Ａ・・・脚
４１ａ・・・パイプ材
４１ａ１・・・垂直辺（一辺）
４１´・・・屈曲部
４１ｃ，４２ｃ，４３ｃ・・・スペーサ
４１〜４４，４１´，４２´・・・脚要素
Ｓ１・・・所定の間隔
【図１】
2016198178.tif 000003
【図２】
2016198178.tif 000004
【図３】
2016198178.tif 000005
【図４】
2016198178.tif 000006
【図５】
2016198178.tif 000007
【図６】
2016198178.tif 000008
【図７】
2016198178.tif 000009